(57)【要約】【課題】より好適に白金微粒子と亜鉛微粒子とを同時に発生させることができる金属微粒子発生装置を提供する。【解決手段】放電電極１１は、亜鉛を含む被覆部材１１ｂにて白金を含む芯材１１ａが被覆されて構成される。放電電極１１の対向位置には対向電極１２が配置され、放電電極１１及び対向電極１２間に高電圧が印加される。【選択図】図２
2010273702.tif 000002
【特許請求の範囲】
【請求項１】
白金を含む芯材を有する放電電極と、該放電電極に高電圧を印加する高電圧印加手段とを備え、前記高電圧印加手段による高電圧の印加によって白金微粒子を発生させる金属微粒子発生装置であって、
前記放電電極は、亜鉛を含む被覆部材にて白金を含む前記芯材が被覆されて構成されたことを特徴とする金属微粒子発生装置。
【請求項２】
請求項１に記載の金属微粒子発生装置において、
前記放電電極と対向する対向電極を設けたことを特徴とする金属微粒子発生装置。
【請求項３】
請求項１又は２に記載の金属微粒子発生装置において、
前記芯材は白金のみで構成され、前記被覆部材は亜鉛のみで構成されたことを特徴とする金属微粒子発生装置。
【発明の詳細な説明】
【技術分野】
【０００１】
本発明は、放電によって金属微粒子を発生させる金属微粒子発生装置に関するものである。
【背景技術】
【０００２】
従来、白金を含む芯材から構成された放電電極に高電圧を印加することで白金微粒子を発生させる金属微粒子発生装置が知られている。
例えば、特許文献１には、毛髪の乾燥や髪型をセットするヘアードライヤにその金属微粒子発生装置が備えられており、この装置によって例えば毛髪の乾燥と同時に毛髪に対して白金微粒子を供給することで、紫外線により生じた活性酸素にてダメージを受けた（例えば、キューティクルの剥がれ）その毛髪が白金微粒子の持つ抗酸化作用により、回復されるようになっている。
【先行技術文献】
【特許文献】
【０００３】
【特許文献１】特開２００８−２３０６３号公報
【発明の概要】
【発明が解決しようとする課題】
【０００４】
ところで、上記の金属微粒子発生装置では、白金微粒子を毛髪等に供給することで毛髪に抗酸化作用を付与してダメージの回復を図るようになっているが、その他金属として亜鉛微粒子を毛髪等に供給するとダメージを効果的に回復できることがわかった。
【０００５】
しかしながら、放電電極を白金及び亜鉛で構成してその放電電極に高電圧を印加するだけでは、各金属のスパッタ効率の違いから白金微粒子と亜鉛微粒子とを好適に同時に発生させることは難しく、この問題の改善が望まれている。
【０００６】
本発明は、上記課題を解決するためになされたものであって、その目的は、より好適に白金微粒子と亜鉛微粒子とを同時に発生させることができる金属微粒子発生装置を提供することにある。
【課題を解決するための手段】
【０００７】
上記課題を解決するために、請求項１に記載の発明は、白金を含む芯材を有する放電電極と、該放電電極に高電圧を印加する高電圧印加手段とを備え、前記高電圧印加手段による高電圧の印加によって白金微粒子を発生させる制御手段とを備えた金属微粒子発生装置であって、前記放電電極は、亜鉛を含む被覆部材にて白金を含む前記芯材が被覆されて構成されたことをその要旨とする。
【０００８】
この発明では、放電電極は、亜鉛を含む被覆部材にて白金を含む芯材が被覆されて構成される。つまり、高電圧印加中の放電電極において、電界強度の高くなる芯材を比較的スパッタ効率の悪い白金にて構成し、その外側の被覆部材を比較的スパッタ効率の良い亜鉛で構成することで、白金微粒子及び亜鉛微粒子をより好適に同時に発生させることができる。
【０００９】
請求項２に記載の発明は、請求項１に記載の金属微粒子発生装置において、前記放電電極と対向する対向電極を設けたことをその要旨とする。
この発明では、放電電極と対向する対向電極が設けられたことで、放電電極と対向電極間に電圧を印加してより確実に放電を行うことができる。
【００１０】
請求項３に記載の発明は、請求項１又は２に記載の金属微粒子発生装置において、前記芯材は白金のみで構成され、前記被覆部材は亜鉛のみで構成されたことをその要旨とする。
【００１１】
この発明では、芯材は白金のみで構成され、被覆部材は亜鉛のみで構成されることで、一度に発生する白金微粒子及び亜鉛微粒子の量を増やすことが可能となる。
【発明の効果】
【００１２】
本発明によれば、より好適に白金微粒子と亜鉛微粒子とを同時に発生させることができる金属微粒子発生装置を提供することができる。
【図面の簡単な説明】
【００１３】
【図１】本実施形態における金属微粒子発生装置の斜視図である。
【図２】放電電極及び対向電極の断面図である。
【発明を実施するための形態】
【００１４】
以下、本発明を具体化した一実施形態を図面に従って説明する。
図１は、本実施形態における金属微粒子発生装置の斜視図である。金属微粒子発生装置１０は、放電電極１１と、対向電極１２と、各電極１１，１２を所定位置に固定するハウジング１３と、放電電極１１及び対向電極１２間に高電圧を印加する高電圧印加手段としての高電圧印加部１４とを備えている。
【００１５】
放電電極１１は、図２に示すように、略円柱状の芯材１１ａと、この芯材１１ａの径方向外側を被覆する被覆部材１１ｂとで構成されており、その基端がハウジング１３（図１参照）に固定されている。芯材１１ａは白金（Ｐｔ）にて構成され、被覆部材１１ｂは亜鉛（Ｚｎ）にて構成されている。また、放電電極１１は、軸方向に沿ってその断面が一定（円形状）とされた略円柱状に形成されている。このため、放電電極１１の先端は先鋭形状や球状でなく円形状の平坦面１１ｃとなるように形成されており、この平坦面１１ｃは放電電極の軸方向と直交若しくは略直交するように形成されている。
【００１６】
放電電極１１と対向する対向電極１２は、略平板状の電極であり、放電電極１１の先端（平坦面１１ｃ）に対して、この放電電極１１の軸方向に所定距離（例えば１．５ｍｍ）隔てた箇所に配置されている。また、対向電極１２には、放電電極１１の軸方向に沿って放出口１２ａが貫設されている。放出口１２ａは、その開口周縁と放電電極１１との距離が全周に亘って略一定となるように設けられている。
【００１７】
ハウジング１３は例えばポリカーボネート樹脂からなり、放電電極１１や対向電極１２を固定するほか、他の電子部品を配置するように構成してもよい。高電圧印加部１４はイグナイタ方式の高電圧発生回路から構成されており、放電電極１１及び対向電極１２間に高電圧を印加することで放電が行われるようになっている。
【００１８】
上記のように構成された本実施形態の金属微粒子発生装置１０において、白金微粒子及び亜鉛微粒子を発生方法について説明する。
まず、高電圧印加部１４は、例えば図示しない制御部にて制御され、放電電極１１を負極、対向電極１２を正極となるように高電圧を印加し、放電電極１１先端の平坦面１１ｃから放電を生じさせる。この放電により、放電電極１１の平坦面１１ｃにおいてはプラスイオンによってスパッタリング現象が生じ、微細な白金微粒子及び亜鉛微粒子が対向電極１２側に向けて放出される。この時、放電電極１１の内で径方向内側（中心側）ほど電界強度が高くなる。つまり、放電電極１１における径方向内側の芯材１１ａをスパッタ効率の悪い白金にて構成することで、電界強度の高い状態にてスパッタリング現象を生じさせることができ、効率よく白金微粒子を発生させることができる。また、スパッタ効率の良い亜鉛を被覆部材１１ｂとして採用することで、前述のように白金微粒子を発生させつつ亜鉛微粒子も同時に好適に発生させることができる。
【００１９】
そして、放電電極１１の平坦面１１ｃから放出された白金微粒子及び亜鉛微粒子は、対向電極１２の放出口１２ａを通って図１及び図２中矢印Ａ方向へと放出される。
上述の放電時において、白金微粒子によって活性酸素を除去する抗酸化作用が働くため、本実施形態の金属微粒子発生装置１０を例えばヘアードライヤに備えて用いることが好適である。つまり、白金微粒子を毛髪等に供給することで紫外線による活性酸素によるダメージ（キューティクルのはがれ）を回復させることができる。また、白金微粒子と同時に亜鉛微粒子を放出しているため、この亜鉛微粒子によっても毛髪のダメージ（キューティクルの剥がれ）を回復させることができる。
【００２０】
次に、本実施形態の特徴的な作用効果を記載する。
（１）放電電極１１は、亜鉛を含む被覆部材１１ｂにて白金を含む芯材１１ａが被覆されて構成される。つまり、高電圧印加中の放電電極１１において、電界強度の高くなる芯材１１ａを比較的スパッタ効率の悪い白金にて構成し、その外側の被覆部材１１ｂを比較的スパッタ効率の良い亜鉛で構成することで、より好適に白金微粒子及び亜鉛微粒子を同時に発生させることができる。
【００２１】
（２）放電電極１１と対向する対向電極１２が設けられたことで、放電電極１１と対向電極１２間に電圧を印加してより確実に放電を行うことができる。
（３）芯材１１ａは白金のみで構成され、被覆部材１１ｂは亜鉛のみで構成されることで、一度に発生する白金及び亜鉛の量を増やすことが可能となる。
【００２２】
尚、本発明の実施形態は、以下のように変更してもよい。
・上記実施形態では、芯材１１ａを白金のみで構成し、被覆部材１１ｂを亜鉛のみで構成したが、これに限らず、芯材１１ａを白金を含む部材で構成し、被覆部材１１ｂを亜鉛を含む部材で構成してもよい。
【００２３】
・上記実施形態では、放電電極１１と対向する対向電極１２を設けたが、その位置は対向位置でなくてもよい。要は、放電電極１１が放電を行えればよい。また、対向電極１２に相当する部分を帯電除去板や金属微粒子発生装置１０のハウジング１３で構成してもよい。さらに、対向電極１２を当該金属微粒子発生装置１０から取り除いた構成、即ち、高電圧印加部１４が放電電極１１に高電圧を印加する構成であってもよい。
【００２４】
・上記実施形態では、金属微粒子発生装置１０をヘアードライヤに備えて用いることとしたが、これに限らず、金属微粒子発生装置１０をエアコン、空気清浄機、加湿器及び除湿器等の空気調和装置に備えて構成してもよい。このような構成としても白金微粒子及び亜鉛微粒子を同時に発生させることができ、毛髪へのダメージ（キューティクルの剥がれ）を回復させることができる。
【符号の説明】
【００２５】
１０…金属微粒子発生装置、１１…放電電極、１１ａ…芯材、１１ｂ…被覆部材、１２…対向電極、１３…高電圧印加手段としての高電圧印加部。
【図１】
2010273702.tif 000003
【図２】
2010273702.tif 000004